(57)【要約】【課題】本発明は送風装置に関するもので、騒音、振動を低減させることができる送風装置を提供できるものである。【解決手段】本発明は、吸込口９ａと吐出口９ｂを有するファンケーシング９と、このファンケーシング９内に設けられる送風ファン８と、この送風ファン８を駆動するファンモータ１１とで構成される送風装置７において、送風ファン８は、ファンモータ１１にファンモータ１１の出力軸１３を介して保持され、出力軸１３には、ファンモータ１１の本体と送風ファン８との間に軸受１４が設けられ、この軸受１４は、ファンケーシング９に設けられた軸受保持部１５に回転自在に保持されているので、送風装置７の騒音、振動を低減させることができる。【選択図】図２
2014190222.tif 000002
【特許請求の範囲】
【請求項１】
吸込口と吐出口を有するファンケーシングと、
このファンケーシング内に設けられる送風ファンと、
この送風ファンを駆動するファンモータとで構成される送風装置において、
前記送風ファンは、前記ファンモータの出力軸に保持され、
前記出力軸には、前記ファンモータの本体と前記送風ファンとの間に軸受が設けられ、
この軸受は、前記ファンケーシングに設けられた軸受保持部に回転自在に保持されていることを特徴とする送風装置。
【請求項２】
前記送風ファンと前記ファンモータは略軸水平になるように配置されることを特徴とする請求項１記載の送風装置。
【請求項３】
前記ファンモータは外転型電動機であることを特徴とする請求項１または２記載の送風装置。
【請求項４】
前記軸受保持部と前記軸受の間には弾性体が介在することを特徴とする請求項１〜３いずれかひとつに記載の送風装置。
【請求項５】
空気清浄手段と請求項１〜４いずれかひとつに記載の送風装置を搭載した空気清浄装置。
【発明の詳細な説明】
【技術分野】
【０００１】
本発明は、空気を浄化することができる空気清浄装置や空気を加湿することができる加湿装置および換気装置などに用いられる送風装置に関する。
【背景技術】
【０００２】
従来のこの種の送風装置の構成は以下のようになっていた。
【０００３】
すなわち、送風ファンを軸が水平方向になるように配置するとともに、送風ファンの後面をなす主板の中央部に前方へ湾曲する円錐台形状のハブを設ける。このハブの後面側の窪みにファンモータを配置し、このファンモータの出力軸を防振部材を介してハブに取り付ける一方、ファンモータの本体をその後方のフレーム板に取り付ける。送風ファンの主板の後面でハブの周りの円周上の位置に第１磁石を設ける。これとともに、フレーム板の前面で第１磁石と対向する円周上の位置に、第１磁石に対して磁力によって前後方向に反発する第２磁石を設ける。（例えば、これに類似する先行文献は下記特許文献１に記載されている。）。
【０００４】
このような従来の送風装置は、第１の磁石を送風ファンの主板の後面の円周上に配置し、第２の磁石をフレーム板の第１の磁石に対向する円周上の位置に配置し、磁石の反発力を利用して送風ファンのフレーム板との接触や送風ファンの振れ回りを防止するものであった。
【先行技術文献】
【特許文献】
【０００５】
【特許文献１】特開平１０−２８８１９６号公報
【発明の概要】
【発明が解決しようとする課題】
【０００６】
上記従来例における課題は、コストが高く、また、組立性も劣るという問題があった。
【０００７】
すなわち、高速回転する送風ファンに磁石を配置することから、送風ファンの主板に埋め込むかもしくは接着剤等で強固に固着する必要がり、組立性に劣り、組立工数が上がり、コスト高になってしまっていた。また、大風量の大型送風ファンでは送風ファンの重量も重くなるので、より強力な希土類等の磁石を使用する必要があり、磁石自体のコストも高くなってしまうという課題があった。
【０００８】
また、ファンモータに外転型電動機を使用することにより、ファンモータをより小型化、高出力化することが可能であり、送風装置の小型化、高出力化に貢献できる。しかし、外転型電動機の場合、ファンモータの外郭を兼ねる外側の回転子が回転するため、ファンモータの外郭を両側から保持することがでないため、片側のみの保持となる。そのため、送風ファンの接触や送風ファンの振れ回りが発生しやすくなり、送風装置の騒音、振動の原因になってしまうという課題があった。
【０００９】
そこで本発明は、安価で組立性に優れた送風ファンの接触や送風ファンの振れ回りを防止し、送風装置の騒音、振動の低減を目的とするものである。
【課題を解決するための手段】
【００１０】
そして、この目的を達成するために本発明は、
吸込口と吐出口を有するファンケーシングと、
このファンケーシング内に設けられる送風ファンと、
この送風ファンを駆動するファンモータとで構成される送風装置において、
前記送風ファンは、前記ファンモータの出力軸に保持され、
この出力軸には、前記ファンモータの本体と前記送風ファンとの間に軸受が設けられ、
この軸受は、前記ファンケーシングに設けられた軸受保持部に回転自在に保持されていることを特徴としたものであり、これにより、所期の目的を達成するものである。
【発明の効果】
【００１１】
以上のように本発明は、吸込口と吐出口を有するファンケーシングと、このファンケーシング内に設けられる送風ファンと、この送風ファンを駆動するファンモータとで構成される送風装置において、前記送風ファンは、前記ファンモータの出力軸に保持され、この出力軸には、前記ファンモータの本体と前記送風ファンとの間に軸受が設けられ、この軸受は、前記ファンケーシングに設けられた軸受保持部に回転自在に保持されているものであり、送風装置の騒音、振動の低減できるものである。
【００１２】
このように、ファンモータの出力軸は、ファンケーシングの軸受保持部で保持されているため、重力等により軸が傾くことなく、結果として送風ファンの振れ回りが無くなり、騒音、振動が低減できることとなる。
【００１３】
これらの結果により、送風装置の騒音、振動が低減させることができるものである。
【図面の簡単な説明】
【００１４】
【図１】本発明の第１の実施の形態の送風装置を適用した加湿空気清浄装置の概略断面図
【図２】同送風装置を適用した加湿空気清浄装置の要部拡大断面図
【図３】同送風装置のファンモータの概略斜視図
【発明を実施するための形態】
【００１５】
以下、本発明の実施の形態について添付図面を用いて説明する。
【００１６】
（実施の形態１）
図１から図３は、本実施の形態の送風装置を加湿空気清浄装置に適用した例で示している。
【００１７】
本実施の形態における加湿空気清浄装置は、図１に示すように、側面に吸気口１と天面に排気口２を有する本体ケース３と、この本体ケース３内には空気清浄手段と加湿手段を備えている。この空気清浄手段には集じんフィルター４ａと脱臭フィルター４ｂとから形成されている。また、加湿手段は放湿部と水供給部とから形成されている。放湿部は、加湿フィルター５である。水供給部は、加湿フィルター５の下部に設けた略椀状の水槽６と、この水槽６に一定の水を供給する水タンク（図示せず）とから形成されている。
【００１８】
本体ケース３内には、ファンケーシング９と送風ファン８とファンモータ１１とで構成される送風装置７が設けられている。ファンケーシング９は、本体ケース３の吸気口１と連通した吸込口９ａと、本体ケース３の排気口２と連通した吐出口９ｂを有している。また、ファンケーシング９は、送風ファン８を内蔵し、ファンモータ１１は、後述するようにファンケーシング９の背面９ｃの外側に固定されている。本実施の形態においては、ファンケーシング９の背面９ｃの一部は、ファンケーシング９の内側に突出し、外面は凹部となった湾曲形状部１０を形成している。ファンモータ１１は、この湾曲形状部１０に半ば包まれるように配置されている。
【００１９】
送風ファン８は、シロッコ型の遠心送風機であり、駆動することによって吸気口１（吸込口９ａ）から空気を吸い込み、その空気を空気清浄手段４および加湿フィルター５を通過させ排気口２（吐出口９ｂ）から排出させる。この送風ファン８の出力軸１３は水平方向になるように配置されている。また、送風ファン８は、ファンケーシング９内に配置されている。ファンモータ１１の出力軸１３は、湾曲形状部１０に設けた貫通孔を通して送風ファン８を保持している。また、送風ファン８は、ファンケーシング９の湾曲形状部１０を挟んでファンモータ１１本体の反対側に配置されている。
【００２０】
送風ファン８は、出力軸１３によって連結されたファンモータ１１によって駆動される。このファンモータ１１は、外転型電動機である。
【００２１】
図２に示すように、ファンモータ１１の固定子１２には、モールド樹脂体によって取付脚１２ａが一体的に形成されており、その取付脚１２ａはファンケーシング９の背面９ｃに固定されている。すなわち、ファンモータ１１は、湾曲形状部１０に納められるように配置され、取付脚１２ａとファンケーシング９の背面９ｃに螺子止めする。回転子１６は、出力軸１３と一体となって、固定子１２に軸受１６ａを介して回転可能に保持されている。本実施の形態では、２つの軸受１６ａを用いて回転子１６を保持している。また、ファンモータ１１の出力軸１３には、送風ファン８との接続部までの間に軸受１４としてボールベアリングが配置されている。この軸受１４は、ファンケーシング９の湾曲形状部１０に設けられた軸受保持部１５によって保持されている。
【００２２】
以上のような構成で送風動作について説明する。ファンモータ１１によって回転駆動された送風ファン８により、吸気口１から本体ケース３内に吸気した空気は空気清浄手段４および加湿フィルター５へ送風することにより空気を浄化および加湿し、その浄化、加湿された空気は排気口２へと送風するものである。
【００２３】
本実施の形態のおける特徴は、送風ファン８およびファンモータ１１の保持方法である。すなわち、ファンモータ１１の出力軸１３には、送風ファン８との接続部までの間に軸受１４が配置されている。そして、ファンケーシング９の湾曲形状部１０に設けられた軸受保持部１５によって、軸受１４が保持されている。
【００２４】
つまり、送風ファン８およびファンモータ１１は、取付脚１２ａによりファンケーシング９の背面９ｃに取り付けられている。さらに、出力軸１３がファンケーシング９の湾曲形状部１０の軸受保持部１５に取り付けられていることにより、出力軸１３をファンモータ１１側と送風ファン８側で保持することになる。従って、出力軸１３は、軸水平に取り付けられて送風ファン８およびファンモータ１１を確実に保持されることになる。また、軸受１４は、回転体である送風ファン８の近傍で保持されるため、出力軸１３が振れることなく、回転させることができることとなる。これらの結果により、騒音、振動を低減させることができる送風装置７を提供できるものである。
【００２５】
また、ファンモータ１１を外転型電動機とした場合、ファンモータ１１の外郭を兼ねる外側の回転子１６が回転するため、ファンモータ１１の外郭で保持することができない。すなわち、回転する出力軸１３を軸受１４により保持することにより、出力軸１３が振れることなく、回転させることができることとなる。これらの結果により、騒音、振動を低減させることができる送風装置７を提供できるものである。
【００２６】
また、軸受保持部１５と軸受１４と間には弾性体であるゴムブッシュ１７が介在している。すなわち、ファンケーシング９は樹脂成形品等で形成されているため、製造上、通常の軸受部に要求される寸法公差では製作が困難であったり、後加工が必要である場合が多い。つまり、ゴムブッシュ１７を介在させることにより、寸法公差を吸収し、結果騒音、振動を低減させることができる送風装置７を提供できるものである。
【００２７】
なお、本実施の形態では送風ファン８はシロッコファンとしたが、ターボファンやプロペラファンであっても、その作用効果は変わらない。
【００２８】
また、近年、空気清浄装置や加湿空気清浄装置は大風量化しており、大風量化するために送風ファン８の大型化や高速回転化がなされている。送風ファン８の大型化は、重力により送風ファン８および出力軸１３が傾いたり、また、高速回転化により送風ファン８の振れ回りの増大をまねく恐れがある。つまり、回転体である送風ファン８の近傍で保持するため、出力軸１３が振れることなく、回転させることができることとなる。これらの結果により、騒音、振動を低減させることができる。
【００２９】
なお、本実施の形態では、出力軸１３を水平に設けたが、水平以外の場合でも本発明の効果を得ることができる。すなわち、出力軸１３の軸方向ではない方向に送風ファン８、ファンモータ１１の回転子の荷重がかかるような形態であれば、出力軸１３が振れることなく、回転させ、騒音、振動を低減させることができる。
【産業上の利用可能性】
【００３０】
以上のように本発明は、吸込口と吐出口を有するファンケーシングと、このファンケーシング内に設けられる送風ファンと、この送風ファンを駆動するファンモータとで構成される送風装置において、前記送風ファンは、前記ファンモータの出力軸に保持され、この出力軸には、前記ファンモータの本体と前記送風ファンとの間に軸受が設けられ、この軸受は、前記ファンケーシングに設けられた軸受保持部に回転自在に保持されているので、出力軸や送風ファンの振れ回りが無くなり、送風装置の騒音、振動が低減させることができるものである。
【００３１】
従って、静音化が要求される家電用や業務用などの送風装置や空気清浄装置または加湿空気清浄装置に使用する送風装置として活用できる。
【符号の説明】
【００３２】
１    吸気口
２    排気口
３    本体ケース
４ａ  集じんフィルター
４ｂ  脱臭フィルター
５    加湿フィルター
６    水槽
７    送風装置
８    送風ファン
９    ファンケーシング
１０  湾曲形状部
１１  ファンモータ
１２  固定子
１２ａ  取付脚
１３  出力軸
１４  軸受
１５  軸受保持部
１６  回転子
１７  ゴムブッシュ
【図１】
2014190222.tif 000003
【図２】
2014190222.tif 000004
【図３】
2014190222.tif 000005